(57)【要約】【課題】バイブロハンマを不使用時に横倒し姿勢にする際に、予定されている方向に倒れるようにして、作業場所が狭い場合にも対応できるようにし、バイブロハンマのチャック部と受け装置との結合状態を強固にすることが可能なバイブロハンマの受け装置を提供する。【解決手段】バイブロハンマのチャック部が結合されるチャッキング台１と、チャッキング台１の側部に設けられた回転軸１６を受ける受け凹部２２を有する受け台２とを備え、バイブロハンマの重心は、受け台２の受け凹部２２と地面とを結ぶ線に対して片側に位置して、バイブロハンマは回転軸１６を回転中心として、重心が存在する側で地面方向に回転して倒伏状態となり、回転軸１６を逆方向に回転して、起立状態と倒伏状態とが切り替わる。【選択図】図１
2020204197.tif 000002
【特許請求の範囲】
【請求項１】
バイブロハンマのチャック部が結合されるチャッキング台と、このチャッキング台の側部に設けられた回転軸を受ける受け凹部を有する受け台とを備えたバイブロハンマの受け装置であって、
チャック部が結合されたチャッキング台の回転軸が受け台の受け凹部上に搭載されたときに、バイブロハンマの重心は、受け台の受け凹部と地面とを結ぶ線に対して片側に位置して、バイブロハンマは回転軸を回転中心として、重心が存在する側で地面方向に回転して倒伏状態となり、回転軸を逆方向に回転させて起立状態となって、バイブロハンマの起立状態と倒伏状態とが切り替わることを特徴とするバイブロハンマの受け装置。
【請求項２】
前記チャッキング台は、対向して設けられたガイド板によって形成される空隙を備え、バイブロハンマのチャック部が前記チャッキング台に結合されたときに、ガイド板の上端がバイブロハンマの吊り金具に達するようにガイド板が形成されていることを特徴とする請求項１記載のバイブロハンマの受け装置。
【請求項３】
前記ガイド板の側面には、固定具の一端が取り付けられた固定具止めが設けられており、固定具の他端は、バイブロハンマのチャック部がチャッキング台に結合されたときに、バイブロハンマの吊り金具に固定されて、固定具によって、バイブロハンマの吊り金具とチャッキング台とが連結されることを特徴とする請求項２記載のバイブロハンマの受け装置。
【請求項４】
前記チャッキング台のウェブには、バイブロハンマのチャック部がチャッキング台に結合されたときに、チャック部の固定爪と可動爪とに挟まれる部位に補強板が設けられていることを特徴とする請求項１から３のいずれかに記載のバイブロハンマの受け装置。
【請求項５】
前記チャッキング台のフランジに沿って取り付けられた可動式支持部を備え、横向きとなっているチャッキング台に対して、倒伏状態のバイブロハンマのチャック部が横方向から結合される際に、可動式支持部は、一方の端部を支点として回転して起立し、その先端部が接地することを特徴とする請求項１から４のいずれかに記載のバイブロハンマの受け装置。
【請求項６】
前記受け台は、前記受け凹部が設けられた支柱と、下側が幅広となる支持台部とを備えていることを特徴とする請求項１から５のいずれかに記載のバイブロハンマの受け装置。
【請求項７】
チャッキング台の回転軸が受け台の受け凹部上に搭載された状態で、回転軸を固定するとともに、チャッキング台の回転軸が受け台の受け凹部から離される際に、回転軸の固定を解除するロック装置を備えていることを特徴とする請求項１から６のいずれかに記載のバイブロハンマの受け装置。
【請求項８】
前記ロック装置は、受け台への取り付け位置を中心として回転可能な本体部を備え、チャッキング台の回転軸が受け台の受け凹部上に搭載されると、本体部は回転軸に上方から押されることにより、本体部はその取り付け位置を中心として回転し、
回転軸が受け凹部の最深部まで降下したときに、本体部と回転軸とが干渉しない状態となって、本体部が逆回転して初期位置まで戻り、本体部に設けられた回転止めが受け台のフランジに当接して、本体部が回転軸を抑え込んだ状態で固定してロック状態となるものであることを特徴とする請求項７記載のバイブロハンマの受け装置。
【請求項９】
前記ロック装置は、受け台への取り付け位置を中心として回転可能な本体部を備え、チャッキング台の回転軸が受け台の受け凹部から取り出される際に、本体部は回転軸を抑え込んだ状態から、その取り付け位置を中心として回転して、本体部に設けられた本体部止めが受け台のフランジに当接した状態でロックされて、回転軸を受け台の受け凹部から取り出し可能な状態となり、
回転軸が受け台の受け凹部から取り出された後、ロックが解除されて、本体部が初期位置となるまで戻るものであることを特徴とする請求項７または８記載のバイブロハンマの受け装置。
【請求項１０】
前記ロック装置は、受け台の受け凹部を挟んで、対向して２つ設けられていることを特徴とする請求項７から９のいずれかに記載のバイブロハンマの受け装置。
【発明の詳細な説明】
【技術分野】
【０００１】
本発明は、Ｈ形鋼杭等を地中に打ち込む際に使用されるバイブロハンマを、不使用時に安全な状態で維持するための受け装置に関する。
【背景技術】
【０００２】
バイブロハンマは、クレーン等で吊った状態で、Ｈ形鋼杭等の地中打込み材の頂部を把持し、起振部の動作によって発生させた振動を打込み材に加えることにより、打込み材を地中へ打込むものである。
【０００３】
バイブロハンマは、使用時にはクレーン等で吊られているが、使用を中断する際には横倒し姿勢にすることになる。しかし、バイブロハンマは大重量である上に、そのチャック部の先端が先鋭的となっているため、横倒し姿勢にする際に、どの方向に倒れるかがわからない。そのため、どの方向に倒れても良いように、バイブロハンマが倒れる可能性のある領域を確保しておくことが必要となるが、作業現場によっては手狭なため、このような場所を確保することが困難な場合がある。
【０００４】
また、バイブロハンマの先端部は、左右の長さが異なっているため、不使用時に横倒し姿勢となっているバイブロハンマを吊り上げて使用開始する際には、その片側が軸となって、コマのように回転することがあり、このような回転が生じると、作業の安全性に支障をきたすこととなる。また、先鋭的な先端部が接地して地面に損傷を与えてしまう。
【０００５】
バイブロハンマの使用時の騒音抑制を目的とした技術の一例が、特許文献１に記載されている。
【０００６】
【特許文献１】特許第６０５１３３２号公報
【発明の概要】
【発明が解決しようとする課題】
【０００７】
バイブロハンマの使用時の直立状態と、不使用時の倒伏状態との転換を安全に行うためには、バイブロハンマの受け装置を用いることが有効であるが、バイブロハンマのチャック部と受け装置との結合は、受け装置の機能上重要である。バイブロハンマのチャック部と受け装置との結合作業を容易かつ正確に行うことができるとともに、この結合状態を強固に維持することが必要となる。
【０００８】
本発明は、このような事情を考慮してなされたもので、バイブロハンマを不使用時に横倒し姿勢にする際に、予定されている方向に倒れるようにすることにより、作業場所が狭い場合にも対応できるとともに、バイブロハンマのチャック部と受け装置との結合作業を容易かつ正確に行うことができ、結合状態を強固に維持することが可能なバイブロハンマの受け装置を提供することを目的とする。
【課題を解決するための手段】
【０００９】
以上の課題を解決するために、本発明のバイブロハンマの受け装置は、バイブロハンマのチャック部が結合されるチャッキング台と、このチャッキング台の側部に設けられた回転軸を受ける受け凹部を有する受け台とを備えたバイブロハンマの受け装置であって、チャック部が結合されたチャッキング台の回転軸が受け台の受け凹部上に搭載されたときに、バイブロハンマの重心は、受け台の受け凹部と地面とを結ぶ線に対して片側に位置して、バイブロハンマは回転軸を回転中心として、重心が存在する側で地面方向に回転して倒伏状態となり、回転軸を逆方向に回転させて起立状態となって、バイブロハンマの起立状態と倒伏状態とが切り替わることを特徴とする。
【００１０】
バイブロハンマの重心は、回転軸と地面とを結ぶ線に対して片側に位置するため、回転軸が受け台の受け凹部上に搭載されたときに、バイブロハンマの重心は、受け凹部と地面とを結ぶ線に対して、片側に位置する。そのため、チャッキング台に結合されたバイブロハンマは、回転軸を回転中心として、重心が存在する側で地面方向に回転して、バイブロハンマは倒れた状態となる。
【００１１】
そのため、バイブロハンマの使用を中断して倒伏姿勢にするときに、このような動作により、バイブロハンマの起立状態から倒伏状態への転換を効率的に行うことができ、予定している方向にのみバイブロハンマが倒れるため、その場所のみを空けて、その他の場所には機材を置くことができ、作業場所の有効利用を図ることができる。
【００１２】
また、バイブロハンマの使用を再開するときには、回転軸を逆方向に回転して、倒れた状態のバイブロハンマを起こすが、バイブロハンマのチャック部は、チャッキング台に結合されているため、先鋭的なチャック部が接地して地面に損傷を与えることがない。
【００１３】
本発明のバイブロハンマの受け装置においては、前記チャッキング台は、対向して設けられたガイド板によって形成される空隙を備え、バイブロハンマのチャック部が前記チャッキング台に結合されたときに、ガイド板の上端がバイブロハンマの吊り金具に達するようにガイド板が形成されている構成とすることができる。
【００１４】
バイブロハンマのチャック部をチャッキング台に結合する際に、チャック部は、ガイド板にガイドされてチャッキング台に結合するため、バイブロハンマは傾斜することなくチャッキング台に結合する。これにより、チャッキング台への結合状態を安定させることができる。
【００１５】
本発明のバイブロハンマの受け装置においては、前記ガイド板の側面には、固定具の一端が取り付けられた固定具止めが設けられており、固定具の他端は、バイブロハンマのチャック部がチャッキング台に結合されたときに、バイブロハンマの吊り金具に固定されて、固定具によって、バイブロハンマの吊り金具とチャッキング台とが連結される構成とすることができる。
【００１６】
固定具によって、バイブロハンマの吊り金具とチャッキング台とが連結されるため、バイブロハンマの結合状態が強固となる。そのため、バイブロハンマのチャッキングが緩んだ場合にも、固定具によってバイブロハンマとチャッキング台とが一体化しているため、結合の安定性が向上する。
【００１７】
本発明のバイブロハンマの受け装置においては、前記チャッキング台のウェブには、バイブロハンマのチャック部がチャッキング台に結合されたときに、チャック部の固定爪と可動爪とに挟まれる部位に補強板が設けられている構成とすることができる。
【００１８】
ウェブは、バイブロハンマのチャック部がチャッキング台に結合される際に、荷重がかかりやすいが、結合の際にバイブロハンマの固定爪と可動爪とによって挟まれる部位に補強板が設けられていることにより、荷重がかかっても支えることができるため、曲がりや破損による結合の緩みを防止できる。
【００１９】
本発明のバイブロハンマの受け装置においては、前記チャッキング台のフランジに沿って取り付けられた可動式支持部を備え、横向きとなっているチャッキング台に対して、倒伏状態のバイブロハンマのチャック部が横方向から結合される際に、可動式支持部は、一方の端部を支点として回転して起立し、その先端部が接地する構成とすることができる。
【００２０】
可動式支持部が起立し、その先端部が接地する状態で、バイブロハンマのチャック部が結合されることにより、チャッキング台のフランジは可動式支持部によって支えられているため、倒伏状態のバイブロハンマの結合作業を安定して行うことができる。
【００２１】
本発明のバイブロハンマの受け装置においては、前記受け台は、前記受け凹部が設けられた支柱と、下側が幅広となる支持台部とを備えている構成とすることができる。
【００２２】
倒伏状態のバイブロハンマを横向きとなっているチャッキング台に結合して横吊で運搬し、作業を行う場所に設置する場合には、運搬時と設置時において、受け台の支持台部の底面と、バイブロハンマの側面との２面で支持することになるため、運搬時と設置時の作業の安定性を確保することができる。
【００２３】
本発明のバイブロハンマの受け装置においては、チャッキング台の回転軸が受け台の受け凹部上に搭載された状態で、回転軸を固定するとともに、チャッキング台の回転軸が受け台の受け凹部から離される際に、回転軸の固定を解除するロック装置を備えている構成とすることができる。
【００２４】
このようなロック装置を備えていることにより、チャッキング台の回転軸が受け台の受け凹部上に搭載された状態で、回転軸をしっかりと固定することができるとともに、チャッキング台の回転軸を受け台の受け凹部から離す際には、回転軸の固定が解除されるため、チャッキング台と受け台との結合を強固にしつつ、結合の解除の操作性を高めることができる。
【００２５】
本発明のバイブロハンマの受け装置においては、前記ロック装置は、受け台への取り付け位置を中心として回転可能な本体部を備え、チャッキング台の回転軸が受け台の受け凹部上に搭載されると、本体部は回転軸に上方から押されることにより、本体部はその取り付け位置を中心として回転し、回転軸が受け凹部の最深部まで降下したときに、本体部と回転軸とが干渉しない状態となって、本体部が逆回転して初期位置まで戻り、本体部に設けられた回転止めが受け台のフランジに当接して、本体部が回転軸を抑え込んだ状態で固定してロック状態となる構成とすることができる。
【００２６】
ロック装置の本体部は、チャッキング台の回転軸に上方から押されることにより回転し、回転軸が受け凹部の最深部まで降下した状態で、本体部に設けられた回転止めが受け台のフランジに当接することにより、本体部がそれ以上に回転することを防止して、本体部が回転軸を抑え込んだ状態で固定してロック状態とすることができる。そのため、操作性良くロック機能を実現することができる。
【００２７】
本発明のバイブロハンマの受け装置においては、前記ロック装置は、受け台への取り付け位置を中心として回転可能な本体部を備え、チャッキング台の回転軸が受け台の受け凹部から取り出される際に、本体部は回転軸を抑え込んだ状態から、その取り付け位置を中心として回転して、本体部に設けられた本体部止めが受け台のフランジに当接した状態でロックされて、回転軸を受け台の受け凹部から取り出し可能な状態となり、回転軸が受け台の受け凹部から取り出された後、ロックが解除されて、本体部が初期位置となるまで戻るものである構成とすることができる。
【００２８】
ロック装置の本体部の動作により、本体部に設けられた本体部止めが受け台のフランジに当接した状態でロックされて、回転軸を受け台の受け凹部から取り出し可能な状態となるため、回転軸の取出し操作の操作性が高まる。
【００２９】
本発明のバイブロハンマの受け装置においては、前記ロック装置は、受け台の受け凹部を挟んで、対向して２つ設けられている構成とすることができる。
【００３０】
ロック装置を２つ配置することにより、個々のロック装置を小さくすることができ、ロック装置の本体部を回転させるにあたって、小さな回転力で回転できる。
【発明の効果】
【００３１】
本発明によると、バイブロハンマを不使用時に横倒し姿勢にする際に、予定されている方向に倒れるようにすることにより、作業場所が狭い場合にも対応できるとともに、バイブロハンマのチャック部と受け装置との結合作業を容易かつ正確に行うことができ、結合状態を強固に維持することが可能なバイブロハンマの受け装置を実現することができる。
【図面の簡単な説明】
【００３２】
【図１】バイブロハンマの受け装置を構成するチャッキング台と、このチャッキング台が取り付けられる受け台とを示す図である。
【図２】チャッキング台と受け台の斜視図である。
【図３】バイブロハンマのチャック部がチャッキング台に結合された状態を示す図である。
【図４】固定具止めと固定具の詳細を示す図である。
【図５】補強板の詳細を示す図である。
【図６】起立状態のバイブロハンマのチャック部をチャッキング台に結合する工程を示す図である。
【図７】起立状態のバイブロハンマのチャック部をチャッキング台に結合する工程を示す図である。
【図８】可動式支持部の詳細を示す図である。
【図９】倒伏状態のバイブロハンマのチャック部をチャッキング台に結合する工程を示す図である。
【図１０】ロック装置の構成を示す図である。
【図１１】ロック装置の斜視図である。
【図１２】ロック装置の動作について説明する図である。
【図１３】ロック装置の動作について説明する図である。
【図１４】ロック装置の動作について説明する図である。
【図１５】ロック装置の動作について説明する図である。
【図１６】ロック装置の動作について説明する図である。
【図１７】ロック装置の動作について説明する図である。
【図１８】ロック装置の動作について説明する図である。
【図１９】ロック装置の動作について説明する図である。
【図２０】ロック装置の動作について説明する図である。
【図２１】ロック装置を２つ取り付けた例を示す図である。
【発明を実施するための形態】
【００３３】
以下に、本発明のバイブロハンマの受け装置を、その実施形態に基づいて説明する。
図１は、バイブロハンマの受け装置を構成するチャッキング台と、このチャッキング台が取り付けられる受け台とを示している。図１(ａ)は、バイブロハンマのチャック部が結合されるチャッキング台１の側面図であり、図１(ｂ)は、その正面図である。また、図１(ｃ)は、受け台２の側面図であり、図１(ｄ)は、その正面図である。
【００３４】
図１(ａ)に示すように、チャッキング台１は、対向して設けられたガイド板１２によって形成される空隙１１を有している。バイブロハンマのチャック部がチャッキング台１に結合されたときに、ガイド板１２の上端１３がバイブロハンマの吊り金具に達するようにガイド板１２が形成されている。また、ガイド板１２の側面には、固定具止め１４が取り付けられており、固定具止め１４には固定具１５の一端が取り付けられている。
【００３５】
チャッキング台１の下方側部には、受け台２上に搭載されて回転する回転軸１６が設けられており、回転軸１６の外周側には回転軸補強材１６ａが取り付けられている。図１(ｂ)に示すように、円柱状の棒状体である回転軸１６の両端には、回転軸１６よりも大径である外れ止め材１６ｂが取り付けられている。
【００３６】
また、チャッキング台１には、回転軸１６が設けられている側とは反対側の側部に、フランジ１８に沿って、可動式支持部１７が取り付けられている。可動式支持部１７の一端は、可動式支持部固定材１７ａによってフランジ１８に固定されている。さらに、チャッキング台１のウェブ２０上部側には、補強板１９が設けられている。ガイド板１２、固定具止め１４、固定具１５、回転軸１６、可動式支持部１７、補強板１９の機能については、後に詳述する。
【００３７】
図１(ｃ)に示すように、受け台２は、支柱２１の上部側に、チャッキング台１の回転軸１６を受ける受け凹部２２を有しており、受け凹部２２は、上部側が広く、下部側が徐々に幅狭となる形状を有している。また、受け台２は、下側が幅広となる支持台部２３を有しており、支持台部２３の底面２４が接地面となる。
【００３８】
図１(ｄ)に示すように、支柱２１は２つ設けられており、チャッキング台１の回転軸１６を、２つの支柱２１で受ける構造となっている。２つの支柱２１は、連結部２５によって連結されて、一体物として機能する。
【００３９】
図２に、チャッキング台と受け台の斜視図を示す。
図２（ａ）は、チャッキング台の斜視図であり、図２（ｂ）は、受け台の斜視図である。また、図２（ｃ）は、チャッキング台が受け台に搭載された状態の斜視図である。図２（ｂ）、図２（ｃ）に示す受け台には、後述するロック装置４０が取り付けられている。ロック装置４０の詳細については、後に詳述する。
【００４０】
図３に、バイブロハンマ３０のチャック部３１がチャッキング台１に結合された状態を示す。図３(ａ)は、ガイド板１２を備えたチャッキング台１に結合した状態を示し、図３(ｂ)は、ガイド板１２を備えたチャッキング台１の単体を示す。これと対比するために、図３(ｃ)は、ガイド板１２を備えていないチャッキング台１に結合した状態を示し、図３(ｄ)は、ガイド板１２を備えていないチャッキング台１の単体を示す。
【００４１】
本発明においては、図３(ｂ)に示すチャッキング台１のように、ガイド板１２を備えているため、バイブロハンマ３０のチャック部３１をチャッキング台１に結合する際に、チャック部３１は、ガイド板１２にガイドされてチャッキング台１に結合する。バイブロハンマ３０は、図３(ａ)に示す側面から見たときに、チャック部３１の幅が狭く、吊り金具３２はチャック部３１よりも幅が広くなっているため、チャック部３１の外周がガイド板１２に接するように空隙１１の幅が設定され、ガイド板１２の上端１３がバイブロハンマの吊り金具３２に達するようにガイド板１２が形成されていることにより、ガイド板１２は安定的にガイドとしての機能を発揮する。そのため、バイブロハンマ３０は傾斜することなくチャッキング台１に結合する。
【００４２】
これに対し、図３(ｄ)に示すチャッキング台１では、ガイド板１２を備えていないため、図３(ｃ)に示すように、バイブロハンマ３０のチャック部３１をチャッキング台１に結合したときに、傾きを生じる。そのため、チャック部３１の結合状態が不安定となりやすい。
【００４３】
図４に、固定具止め１４と固定具１５の詳細を示す。
図４(ａ)に示すように、ガイド板１２の側面には、固定具止め１４が取り付けられており、固定具止め１４には固定具１５の一端が取り付けられている。固定具１５の他端は、バイブロハンマ３０のチャック部３１がチャッキング台１に結合されたときに、バイブロハンマ３０の吊り金具３２に固定される。固定具１５によって、バイブロハンマ３０の吊り金具３２とチャッキング台１とが連結されるため、バイブロハンマ３０の結合状態が強固となる。そのため、バイブロハンマ３０のチャッキングが緩んだ場合にも、固定具１５によってバイブロハンマ３０とチャッキング台１とが一体化しているため、結合の安定性が向上する。
【００４４】
これに対し、図４(ｂ)に示すものでは、固定具止め１４と固定具１５が用いられていないため、バイブロハンマ３０の結合状態が不安定となりやすい。
【００４５】
図５に、補強板１９の詳細を示す。
図５(ａ)に示すように、チャッキング台１のウェブ２０には、バイブロハンマ３０のチャック部３１がチャッキング台１に結合されたときに、後述するチャック部３１の固定爪３５と可動爪３６とに挟まれる部位に補強板１９が設けられている。ウェブ２０は、バイブロハンマ３０のチャック部３１がチャッキング台１に結合される際に、荷重がかかりやすく、これによる破損が生じやすいが、補強板１９が設けられていることにより、固定爪
３５と可動爪３６とに挟まれる部位の厚みが増し、結合の際に荷重がかかっても支えることができるため、曲がりや破損による結合の緩みを防止できる。
【００４６】
これに対し、図５(ｂ)に示すものでは、補強板１９が設けられていないため、チャッキング台１のウェブ２０は結合の際にかかる荷重に耐えられなくなり、破損が生じやすい。
【００４７】
図６、図７に、起立状態のバイブロハンマ３０のチャック部３１をチャッキング台１に結合する工程を示す。図６は、その側面図であり、図７は、その正面図である。
図６(ａ)は、バイブロハンマの受け装置を構成するチャッキング台１と、このチャッキング台１が取り付けられる受け台２がそれぞれ配置されている状態を示す。
【００４８】
図６(ｂ)は、チャッキング台１に、使用を一時的に中断したバイブロハンマ３０のチャック部３１を結合する途中を示し、図６(ｃ)は、チャック部３１がチャッキング台１に結合された状態を示す。
【００４９】
図６(ｄ)は、チャック部３１が結合されたチャッキング台１の回転軸１６を、受け台２の受け凹部２２上に搭載する途中を示し、図６(ｅ)は、受け台２の受け凹部２２上にチャッキング台１の回転軸１６が搭載された状態を示している。図６(ｅ)に示すように、バイブロハンマ３０の重心は、回転軸１６と地面を結ぶ線に対して片側に位置するため、チャック部３１が結合されたチャッキング台１の回転軸１６が受け台２の受け凹部２２上に搭載されたときに、バイブロハンマ３０の重心は、受け台２の中心線、すなわち、受け台２の受け凹部２２と地面を結ぶ線に対して、片側に位置し、中心線上には存在しない。そのため、チャッキング台１に結合されたバイブロハンマ３０は、回転軸１６を回転中心として、重心が存在する側で地面方向に回転して、バイブロハンマ３０は倒伏状態となる。
【００５０】
このように、バイブロハンマ３０の起立状態から倒伏状態への転換を効率的に行うことができ、予定している方向にのみバイブロハンマ３０が倒れるため、その場所のみを空けて、その他の場所には機材を置くことができ、作業場所の有効利用を図ることができる。
【００５１】
バイブロハンマ３０の使用を再開するときには、回転軸１６を逆方向に回転して、倒れた状態のバイブロハンマ３０を起こす。このとき、バイブロハンマ３０のチャック部３１は、チャッキング台１に結合されているため、先鋭的なチャック部３１が接地して地面に損傷を与えることがない。その後、チャッキング台１を受け台２から離し、バイブロハンマ３０とチャッキング台１との結合を解除して、バイブロハンマ３０を起立した状態として使用する。
【００５２】
このように、バイブロハンマ３０は、回転軸１６を回転中心として、重心が存在する側で地面方向に回転して倒伏状態となり、回転軸１６を逆方向に回転させて起立状態となる。バイブロハンマ３０の起立状態から倒伏状態への角度分、回転軸１６が回転して、バイブロハンマの起立状態と倒伏状態とが切り替わる。
【００５３】
図７(ａ)は、チャッキング台１と、受け台２がそれぞれ配置されている状態を示す。図７(ｂ)は、チャッキング台１に、使用を一時的に中断したバイブロハンマ３０のチャック部３１を結合する途中を示し、図７(ｃ)は、チャック部３１がチャッキング台１に結合された状態を示す。このとき、チャック部３１の先端に設けられた固定爪３５と可動爪３６が、補助板１９を挟み込んで、チャック部３１がチャッキング台１に結合されるため、結合が強固となる。
【００５４】
図７(ｄ)は、チャック部３１が結合されたチャッキング台１の回転軸１６を、受け台２の受け凹部２２上に搭載する途中を示し、図７(ｅ)は、受け台２の受け凹部２２上にチャッキング台１の回転軸１６が搭載された状態を示している。回転軸１６の外れ止め材１６ｂは、支柱２１の外側に位置し、受け凹部２２の径よりも多くなっているため、回転軸１６が横ずれして、受け台２の支柱２１から外れることを防止できるようになっている。
【００５５】
図８に、可動式支持部の詳細を示す。
図８(ａ)は、チャッキング台１が受け台２に取り付けられた状態を示しており、チャッキング台１の回転軸１６が、受け台２の受け凹部２２に搭載され、チャッキング台１が横向きとなっている。この時点では、可動式支持部１７は、チャッキング台１のフランジ１８に沿った状態となっている。
【００５６】
図８(ｂ)は、チャッキング台１に対して、倒伏状態のバイブロハンマ３０のチャック部３１が横方向から結合された状態を示している。このとき、可動式支持部１７は、一方の端部を支点として回転して起立し、その先端部３３が接地している。この状態でバイブロハンマ３０のチャック部３１を結合することにより、チャッキング台１のフランジ１８は可動式支持部１７によって支えられているため、結合作業を安定して行うことができる。この場合にも、固定具１５によって、バイブロハンマ３０の吊り金具３２とチャッキング台１の固定具止め１４とが連結されるため、バイブロハンマ３０の結合状態が強固となる。
【００５７】
図８(ｃ)は、これと対比するために、可動式支持部１７を用いない場合を示しており、高さを調整するために、別途の部材である、木材等のスペーサー３４が必要となる。従って、図８(ａ)、（ｂ）に示すように、可動式支持部１７を予め取り付けておくことにより、別途の部材を用いることなく、バイブロハンマ３０のチャック部３１を安定的に結合することができる。
【００５８】
図９に、倒伏状態のバイブロハンマ３０のチャック部３１をチャッキング台１に結合する工程を示す。これは、バイブロハンマ３０を横吊設置する場合に使用されるものである。
【００５９】
図９(ａ)は、チャッキング台１が受け台２に取り付けられた状態を示しており、チャッキング台１の回転軸１６が受け台２の受け凹部２２に搭載され、チャッキング台１が横向きとなっている。この時点では、可動式支持部１７は、チャッキング台１のフランジ１８に沿った状態となっている。
【００６０】
図９(ｂ)は、可動式支持部１７が、一方の端部を支点として回転して起立し、その先端部３３が接地している状態を示している。可動式支持部１７の一端は、可動式支持部固定材１７ａによってフランジ１８に固定されているが、可動式支持部固定材１７ａをはずして、可動式支持部１７を起立させる。図９(ｃ)は、可動式支持部１７が起立した状態のチャッキング台１に対して、倒伏状態のバイブロハンマ３０のチャック部３１が横方向から結合される途中を示し、図９(ｄ)は、結合作業が終了した状態を示している。
【００６１】
図９(ｄ)に示す状態で、横吊で運搬し、図９(ｅ)に示すように、作業を行う場所に設置する。その後、バイブロハンマ３０を用いた作業を行う際には、バイブロハンマ３０を起立させる。図９(ｄ)、図９(ｅ)に示すように、運搬時と設置時において、受け台２の支持台部２３の底面２４と、バイブロハンマ３０の側面との２面で支持することになり、運搬時と設置時の作業の安定性を確保することができる。
【００６２】
以下に、ロック装置の詳細について説明する。
図１０、図１１に、ロック装置の構成を示す。図１０(ａ)は、ロック装置の正面図であり、図１０(ｂ)は、図１０(ａ)のＡ矢視図であり、図１０(ｃ)は、図１０(ａ)のＢ矢視図である。また、図１１(ａ)、（ｂ）はロック装置の斜視図であり、図１１(ｃ)は、図１１(ａ)、（ｂ）に対応するロック装置の正面図である。
【００６３】
ロック装置４０は、チャッキング台１の回転軸１６が受け台２の受け凹部２２上に搭載された状態で、回転軸１６を固定するとともに、チャッキング台１の回転軸１６が受け台２の受け凹部２２から離される際に、回転軸１６の固定を解除するものである。図１０(ａ)は、チャッキング台１の回転軸１６が受け台２の受け凹部２２上に搭載される前の状態を示している。
【００６４】
ロック装置４０は、受け台２への取り付け位置を支点４２として回転可能な本体部４１を備え、本体部４１の上方には重り４３が設けられている。図１１(ａ)、（ｂ）に示すように、受け台２のフランジ４４には、切り込み４５が設けられており、ロック装置４０の本体部４１は、この切り込み４５を通ってフランジ４４を通過して回転する。本体部４１の側面には突起物として、本体部止め４６、ロック固定具誘導部４７、回転止め４８が設けられている。図１１（ｂ）では、回転止め４８の取り付け位置を表現するために、図１１(ａ)における受け台２のフランジ４４を破線で表示している。切り込み４５は、ロック固定具誘導部４７が通過できるようにするために、Ｌ字型となっている。
【００６５】
また、受け台２のフランジ４４の側面には、ロック装置４０を構成する部材の一つであるロック固定具４９が取り付けられている。ロック固定具誘導部４７は、本体部４１の回転に伴って、ロック固定具４９の先端部５０と接触することによって、ロック機能とロック解除機能を実現する。本体部止め４６、ロック固定具誘導部４７、回転止め４８、ロック固定具４９の機能の詳細については、後に詳述する。
【００６６】
以下、図１２から図２０に基づいて、ロック装置の動作について説明する。図１２から図２０においてはいずれも、(ａ)がロック装置の正面図であり、（ｂ）が図１０(ａ)に示すＡ矢視図を９０度回転して表示したものであり、（ｃ）が図１０(ｃ)に示すＢ矢視図である。
【００６７】
最初に、図１２から図１５に基づいて、チャッキング台１の回転軸１６が受け台２の受け凹部２２上に搭載された状態で、回転軸１６を固定する動作について説明する。
【００６８】
図１２は、チャッキング台１の回転軸１６を受け台２の受け凹部２２上に搭載しようとする状態を示している。この時点では、ロック装置４０の本体部４１は、回転止め４８が受け台２のフランジ４４の外側面４４ａに当接しており、これにより、本体部４１は回転軸１６の下側に位置するように位置設定がなされている。ここで、フランジ４４の外側面４４ａとは、フランジ４４の受け凹部２２とは反対側の側面を意味する。
【００６９】
図１３は、チャッキング台１の回転軸１６が、ロック装置４０の本体部４１に対して上側から接触している状態を示している。チャッキング台１の回転軸１６が受け台２の受け凹部２２上に搭載されると、本体部４１は回転軸１６に上方から押されることにより、本体部４１はその支点４２を中心として回転する。このとき、図１３（ｂ）に示すように、テーパ状に厚みを増すように形成されたロック固定具誘導部４７が、ロック固定具４９の先端部５０を押し込むため、ロック固定具４９の先端部５０は、矢印に示すように動き、図１３（ｃ）に示すように、ロック固定具４９が回転する。
【００７０】
図１４は、チャッキング台１の回転軸１６が受け台２の受け凹部２２の最深部に達した直後を示している。この時点では、ロック固定具誘導部４７の終端部４７ａ、すなわち、ロック固定具誘導部４７の厚みが最大となる部位は、ロック固定具４９の先端部５０によって固定されておらず、ロック固定具誘導部４７は、フリーの状態となっている。
【００７１】
そのため、図１５に示すように、回転軸１６が受け凹部２２の最深部まで降下したときに、本体部４１と回転軸１６とが干渉しない状態となって、本体部４１は重り４３の作用によって、これまでとは逆方向に回転する。これにより、ロック固定具誘導部４７が元の位置に戻るように後退するため、ロック固定具４９の先端部５０は、矢印に示す方向に戻り、ロック固定具４９は逆方向に回転する。ただし、この本体部４１の逆回転は、本体部４１に設けられた回転止め４８が受け台２２のフランジ４４の外側面４４ａに当接することによって停止し、これ以上に本体部４１が回転することを防止する。そのため、本体部４１が回転軸１６を上側から抑え込んだ状態となってロック状態となる。
【００７２】
このように、本発明のロック装置は、チャッキング台１の回転軸１６を受け台２の受け凹部２２に搭載するという操作だけで、他の特段の操作を必要とせずに、回転軸１６をロックすることができるため、操作上の利便性が高い。
【００７３】
次に、図１６から図２０基づいて、チャッキング台１の回転軸１６が受け台２の受け凹部２２から離される際に、回転軸１６の固定を解除する動作について説明する。
【００７４】
図１６は、本体部４１が回転軸１６を上側から抑え込んだ状態となったロック状態を示しており、図１７は、回転軸１６を取り外すために、本体部４１を回転させる動作の途中を示している。図１７（ｂ）に示すように、本体部４１の回転に伴って、ロック固定具誘導部４７が矢印方向に動き、ロック固定具誘導部４７に押されるようにして、ロック固定具４９の先端部５０は矢印方向に動く。
【００７５】
図１８は、本体部４１に設けられた本体部止め４６が受け台２のフランジ４４の内側面４４ｂに当接した状態を示している。ここで、フランジ４４の内側面４４ｂとは、フランジ４４の受け凹部２２側の側面を意味する。このとき、図１８（ｂ）に示すように、ロック固定具誘導部４７の終端部４７ａ側に生じた空隙に対して、ロック固定具４９の先端部５０が入り込み、ロック固定具誘導部４７が固定される。これによって、本体部４１はロック固定具４９によって動きが停止されたロック状態となる。この状態で、回転軸１６を取り外す。
【００７６】
図１９は、回転軸１６が取り出された状態を示している。ロック固定具４９を回転させると、図１９（ｂ）に示すように、最初にロック固定具４９の先端部５０が矢印方向に動いて、ロック固定具誘導部４７の固定が解除される。そのため、ロック固定具誘導部４７はフリーとなり、ロック固定具誘導部４７が矢印方向に動き、本体部４１がこれまでとは逆方向に回転する。
【００７７】
図２０は、本体部４１の回転が終了した状態を示している。ロック固定具４９の先端部５０は元の位置に戻り、ロック固定具４９は回転して初期状態に戻る。このとき、回転止め４８が受け台２のフランジ４４の外側面４４ａに当接して、本体部４１がそれ以上に回転することを防止している。この状態が、図１２に示す初期状態であり、このようにして動作が一巡する。
【００７８】
以上説明したように、本発明におけるロック装置４０は、受け台２への取り付け位置を中心として回転可能な本体部４１を備え、チャッキング台１の回転軸１６が受け台２の受け凹部２２上に搭載されると、本体部４１は回転軸１６に上方から押されることにより、本体部４１はその取り付け位置を中心として回転し、回転軸１６が受け凹部２２の最深部まで降下したときに、本体部４１と回転軸１６とが干渉しない状態となって、本体部４１が逆回転して初期位置まで戻り、本体部４１に設けられた回転止め４８が受け台２のフランジ４４に当接して、本体部４１が回転軸１６を抑え込んだ状態で固定してロック状態となるものである。
【００７９】
また、本発明におけるロック装置４０は、受け台２への取り付け位置を中心として回転可能な本体部４１を備え、チャッキング台１の回転軸１６が受け台２の受け凹部２２から取り出される際に、本体部４１は回転軸１６を抑え込んだ状態から、その取り付け位置を中心として回転して、本体部４１に設けられた本体部止め４６が受け台２のフランジ４４に当接した状態でロックされて、回転軸１６を受け台２の受け凹部２２から取り出し可能な状態となり、回転軸１６が受け台２の受け凹部２２から取り出された後、ロックが解除されて、本体部４１が初期位置となるまで戻るものである。
【００８０】
図１０から図２０に基づいて説明した構造は、このようなロック装置４０の機能を実現するための一例であり、同様の機能を実現できるものであれば、この構造に限定されず、他の構造のものであってもよい。
【００８１】
図２１は、ロック装置４０が、受け台２の受け凹部２２を挟んで、対向して２つ設けられた例を示す。図２１では、ロック装置４０が受け台２に取り付けられた正面図を示しており、ロック装置４０の本体部４１の側面には突起物として、本体部止め４６、ロック固定具誘導部４７、回転止め４８が設けられている。また、受け台２のフランジ４４の側面には、ロック装置４０を構成する部材の一つであるロック固定具４９が取り付けられている。本体部４１の動作と、本体部止め４６、ロック固定具誘導部４７、回転止め４８、ロック固定具４９の機能は、図１０から図２０に基づいて説明したものと同様である。
【００８２】
ロック装置４０が２つ取り付けられていると、１つのロック装置４０を小さく設計することができるため、部品の小型化を実現できる。また、小型化により、本体部４１に重り４３を設けずに、ばねによる力によって本体部４１を回転させることができるため、更なる軽量化が可能である。
【産業上の利用可能性】
【００８３】
本発明は、バイブロハンマを不使用時に横倒し姿勢にする際に、予定されている方向に倒れるようにすることにより、作業場所が狭い場合にも対応できるとともに、バイブロハンマのチャック部と受け装置との結合作業を容易かつ正確に行うことができ、結合状態を強固に維持することが可能なバイブロハンマの受け装置として、広く利用することができる。
【符号の説明】
【００８４】
１  チャッキング台
２  受け台
１１  空隙
１２  ガイド板
１３  ガイド板の上端
１４  固定具止め
１５  固定具
１６  回転軸
１６ａ  回転軸補強材
１６ｂ  外れ止め材
１７  可動式支持部
１７ａ  可動式支持部固定材
１８  フランジ
１９  補強板
２０  ウェブ
２１  支柱
２２  受け凹部
２３  支持台部
２４  底面
２５  連結部
３０  バイブロハンマ
３１  チャック部
３２  吊り金具
３３  先端部
３４  スペーサー
３５  固定爪
３６  可動爪
４０  ロック装置
４１  本体部
４２  支点
４３  重り
４４  フランジ
４４ａ  フランジの外側面
４４ｂ  フランジの内側面
４５  切り込み
４６  本体部止め
４７  ロック固定具誘導部
４７ａ  ロック固定具誘導部の終端部
４８  回転止め
４９  ロック固定具
５０  ロック固定具の先端部
【図１】
2020204197.tif 000003
【図２】
2020204197.tif 000004
【図３】
2020204197.tif 000005
【図４】
2020204197.tif 000006
【図５】
2020204197.tif 000007
【図６】
2020204197.tif 000008
【図７】
2020204197.tif 000009
【図８】
2020204197.tif 000010
【図９】
2020204197.tif 000011
【図１０】
2020204197.tif 000012
【図１１】
2020204197.tif 000013
【図１２】
2020204197.tif 000014
【図１３】
2020204197.tif 000015
【図１４】
2020204197.tif 000016
【図１５】
2020204197.tif 000017
【図１６】
2020204197.tif 000018
【図１７】
2020204197.tif 000019
【図１８】
2020204197.tif 000020
【図１９】
2020204197.tif 000021
【図２０】
2020204197.tif 000022
【図２１】
2020204197.tif 000023